(57)【要約】【課題】流し台に設置された給水栓に浄水器が取り付けられた場合において、容器への注水性の低下を抑制すること。【解決手段】配管部材１は、浄水器４が給水栓３に取付けられる場合に給水栓３の吐水口３ｃと浄水器４の導入口４ａ２との間に配置され、水を流通させる管状に設けられた本体部１１と、本体部１１の第一端に吐水口３ｃに接続可能に設けられた第一接続口１３と、本体部１１の第二端に導入口４ａ２に接続可能に設けられた第二接続口１５と、を備えている。本体部１１は、第一接続口１３と吐水口３ｃとが接続されかつ第二接続口１５と導入口４ａ２とが接続された場合、導出口４ａ４の上下方向の位置を、吐水口３ｃの上下方向の位置である第一位置Ｐ１から第一長さＬ１下方に離れた位置である第二位置Ｐ２より上方の位置とするように設けられている。【選択図】  図１
2018035647.tif 000002
【特許請求の範囲】
【請求項１】
流し台に設置された給水栓に取付可能に設けられたケーシングと、
前記ケーシングに、前記給水栓の吐水口と接続可能に設けられ、前記吐水口から吐出された水が導入される導入口と、
前記ケーシングに、前記導入口より第一長さ下方に離れて設けられ、前記導入口から導入された前記水を、直接または前記水の濾過を行う浄水部を介して導出する導出口と、を備えた浄水器が、前記給水栓に取付けられる場合に適用され、
前記吐水口と前記導入口との間に配置可能に設けられた配管部材であって、
前記水を流通させる管状に設けられた本体部と、
前記本体部の第一端に、前記吐水口に接続可能に設けられた第一接続口と、
前記本体部の第二端に、前記導入口に接続可能に設けられた第二接続口と、を備え、
前記本体部は、
前記第一接続口と前記吐水口とが接続されかつ前記第二接続口と前記導入口とが接続された場合、前記導出口の上下方向の位置を、前記吐水口の上下方向の位置である第一位置から前記第一長さ下方に離れた位置である第二位置より上方の位置とするように設けられている配管部材。
【請求項２】
前記本体部は、
前記第一接続口と前記吐水口とが接続されかつ前記第二接続口と前記導入口とが接続された場合、前記導出口の上下方向の位置を、前記第一位置以上の位置とするように設けられている請求項１に記載の配管部材。
【請求項３】
前記本体部は、
前記第一接続口と前記吐水口とが接続されかつ前記第二接続口と前記導入口とが接続された場合、前記導出口の上下方向の位置を、前記第二位置より上方、かつ、前記第一位置より第二長さ上方に離れた位置である第三位置以下の位置とするように設けられている請求項１に記載の配管部材。
【請求項４】
前記本体部は、
上方を開放するＵ字状に設けられ、第一端に前記第一接続口を設けられた第一Ｕ字部と、
前記第一Ｕ字部より上方にて、下方を開放するＵ字状に設けられ、第一端に前記第二接続口を設けられた第二Ｕ字部と、
直線状に設けられ、前記第一Ｕ字部の第二端と前記第二Ｕ字部の第二端とを接続する直線部と、を備えている請求項１乃至請求項３の何れか一項に記載の配管部材。
【発明の詳細な説明】
【技術分野】
【０００１】
本発明は、配管部材に関する。
【背景技術】
【０００２】
特許文献１には、上水道の蛇口（給水栓）の吐水口に直結型浄水器を接続する接続具が開示されている。浄水器において、給水栓の吐水口に接続され、かつ、吐水口から吐出された水を導入する導入口は、一般的に給水栓に取付けられたケーシングの上側に設けられている。また、浄水器において、濾過をされた水を導出する導出口は、一般的にケーシングの下側に設けられている。
【先行技術文献】
【特許文献】
【０００３】
【特許文献１】特許第２７０４３７２号公報
【発明の概要】
【発明が解決しようとする課題】
【０００４】
しかしながら、上述した浄水器を、流し台に設置されている給水栓に取り付けた場合、浄水器の導出口の上下方向の位置は、給水栓の吐水口の上下方向の位置より低くなる。よって、この場合、給水栓に浄水器が取り付けられていない場合に比べて、使用者が容器（例えばポットや食器）に水を注ぐときに、容器が浄水器の導出口と流し台との間に入り難くなることが考えられる。したがって、上述した浄水器を、流し台に設置されている給水栓に取り付けた場合、使用者が容器に水を注ぎにくくなること、すなわち容器への注水性の低下が考えられる。
【０００５】
本発明は、上述した問題を解消するためになされたもので、流し台に設置された給水栓に浄水器が取り付けられた場合において、容器への注水性の低下を抑制することを目的とする。
【課題を解決するための手段】
【０００６】
上記の課題を解決するため、請求項１に係る配管部材は、流し台に設置された給水栓に取付可能に設けられたケーシングと、ケーシングに、給水栓の吐水口と接続可能に設けられ、吐水口から吐出された水が導入される導入口と、ケーシングに、導入口より第一長さ下方に離れて設けられ、導入口から導入された水を、直接または水の濾過を行う浄水部を介して導出する導出口と、を備えた浄水器が、給水栓に取付けられる場合に適用され、吐水口と導入口との間に配置可能に設けられた配管部材であって、水を流通させる管状に設けられた本体部と、本体部の第一端に、吐水口に接続可能に設けられた第一接続口と、本体部の第二端に、導入口に接続可能に設けられた第二接続口と、を備え、本体部は、第一接続口と吐水口とが接続されかつ第二接続口と導入口とが接続された場合、導出口の上下方向の位置を、吐水口の上下方向の位置である第一位置から第一長さ下方に離れた位置である第二位置より上方の位置とするように設けられている。
【発明の効果】
【０００７】
これによれば、流し台に設置された給水栓に配管部材を用いて浄水器が取り付けられた場合、浄水器の導出口の上下方向の位置が、給水栓の吐水口の第一位置から第一長さ下方に離れた第二位置より上方の位置となる。この場合における浄水器の導出口の上下方向の位置は、配管部材を用いずに給水栓に浄水器が直接取り付けられた場合における浄水器の導出口の上下方向の位置より高くなる。よって、配管部材を用いて給水栓に浄水器が取り付けられた場合、配管部材を用いずに給水栓に浄水器が直接取り付けられた場合に比べて、容器を、浄水器の導出口と流し台との間に簡便に配置させることができる。したがって、流し台に設置された給水栓に浄水器が取り付けられた場合において、配管部材によって容器への注水性の低下を抑制することができる。
【図面の簡単な説明】
【０００８】
【図１】本発明による配管部材の一実施形態の概要を示す概要図であり、配管部材を用いて給水栓に浄水器が取り付けられている状態が示されている。
【図２】図１に示す配管部材、給水栓および浄水器の拡大断面図である。
【図３】本発明による配管部材における一実施形態の一の変形例を示す側面図である。
【図４】本発明による配管部材における一実施形態の他の変形例を示す側面図である。
【図５】本発明による配管部材を用いずに、給水栓に浄水器が直接取り付けられている状態を示す概要図である。
【発明を実施するための形態】
【０００９】
以下、本発明による配管部材について説明する。なお、本明細書においては説明の便宜上、図１における上側および下側をそれぞれ配管部材１の上方および下方とし、同じく左側および右側をそれぞれ配管部材１の左方および右方として説明する。
【００１０】
本実施形態の配管部材１は、図１に示すように、流し台２に設置された給水栓３に浄水器４が取付けられる場合に適用される。流し台２は、例えば台所に設置されている。流し台２は、天板２ａおよび水を流す流し部２ｂを備えている。
【００１１】
給水栓３は、水道配管（図示なし）に接続され、水道配管を流れる水（上水）を吐出するものである。給水栓３は、開閉弁３ａおよび吐水管３ｂを備えている。開閉弁３ａは、開状態である場合に水の流れを許容し、閉状態である場合に水に流れを規制するものである。開閉弁３ａは、開状態である場合に水道配管からの水を吐水管３ｂに導出する。開閉弁３ａは、例えば操作レバー（図示なし）によって開状態と閉状態との切替が行われる。
【００１２】
吐水管３ｂは、開閉弁３ａからの水を、先端部（右側の端部）に設けられた吐水口３ｃ（図２および図５参照）から吐出するものである。吐水口３ｃは、下方に向けて開口するように設けられている。よって、吐水口３ｃは、水を下方に向けて吐出する。
【００１３】
浄水器４は、水の濾過を行うとともに、濾過をした水を導出するものである。本実施形態の浄水器４は、据置型の浄水器である。浄水器４が、配管部材１を用いずに給水栓３に直接取付けられている場合について、図５を用いて説明する。浄水器４は、水路切替部４ａおよび浄水部４ｂを備えている。
【００１４】
水路切替部４ａは、吐水管３ｂの先端部に取付可能に設けられている。水路切替部４ａは、ケーシング４ａ１、導入口４ａ２、切替弁４ａ３および導出口４ａ４を備えている。導入口４ａ２、切替弁４ａ３および導出口４ａ４は、ケーシング４ａ１に設けられている。
【００１５】
ケーシング４ａ１は、給水栓３における吐水管３ｂの先端部に取付可能に設けられている。ケーシング４ａ１は、直方体状に設けられている。ケーシング４ａ１の上面には、給水栓３に取付可能な被取付部４ａ５が設けられている。
【００１６】
被取付部４ａ５は、ケーシングの上面から上方に向けて突出する円柱状に設けられている。被取付部４ａ５の周側面には、ねじ溝（図示なし）が設けられている。被取付部４ａ５が、吐水管３ｂの先端部に、取付アダプタ５および取付ナット６によって取り付けられる。
【００１７】
取付アダプタ５は、吐水管３ｂの先端部に取付けられるものである。取付アダプタ５は、吐水管３ｂの先端部に嵌る環状に設けられている。取付アダプタ５は、吐水管３ｂの先端部の形状に対応して複数設けられており、吐水管３ｂの形状に応じて選択される。
【００１８】
取付ナット６は、被取付部４ａ５の上面および周側面を覆う蓋状に設けられている。取付ナット６の周側面の内側には、被取付部４ａ５と嵌合するねじ溝（図示なし）が設けられている。取付ナット６が被取付部４ａ５と嵌合した場合、取付アダプタ５とともに吐水管３ｂの先端部が被取付部４ａ５に固定される。
【００１９】
導入口４ａ２は、ケーシング４ａ１に給水栓３の吐水口３ｃと接続可能に設けられ、吐水口３ｃから吐出された水が導入されるものである。導入口４ａ２は、被取付部４ａ５の上面に、上方に向けて開口するように設けられている。導入口４ａ２には、後述する取付パッキン７を配置可能な段部４ａ２ａが設けられている。段部４ａ２ａは、取付パッキン７が段部４ａ２ａに配置された場合、取付パッキン７の上面と被取付部４ａ５の上面とが同一面となるように設けられている。被取付部４ａ５が吐水管３ｂの先端部に取付けられた場合、被取付部４ａ５の上面にて、吐水口３ｃと導入口４ａ２とが対向することによって接続する。
【００２０】
取付パッキン７は、円板状に設けられた弾性部材である。取付パッキン７は、被取付部４ａ５の段部４ａ２ａに配置される。被取付部４ａ５が吐水管３ｂに先端部に取付けられた場合、取付パッキン７が吐水口３ｃの周縁と段部４ａ２ａとによって挟持されることにより、吐水口３ｃと導入口４ａ２と間からの水の漏出が防止される。吐水口３ｃから導入口４ａ２に導入された水は、取付パッキン７に設けられた貫通穴７ａを通って切替弁４ａ３に導出される。
【００２１】
切替弁４ａ３は、ケーシング４ａ１内に配置され、導入口４ａ２からの水を、直接水路（図示なし）および浄水路（図示なし）の一方に切り替えて導出するものである。直接水路は、導入口４ａ２からの水を導出口４ａ４に直接導出する水路である。浄水路は、導入口４ａ２からの水を、浄水部４ｂを介して導出口４ａ４に導出する水路である。切替弁４ａ３の各水路の切替は、ケーシング４ａ１に設けられた操作レバー（図示なし）を操作されることにより行われる。
【００２２】
導出口４ａ４は、ケーシング４ａ１に、導入口４ａ２（被取付部４ａ５の上面）より第一長さＬ１下方に離れて設けられ、導入口４ａ２から導入された水を、直接または水の濾過を行う浄水部４ｂを介して導出するものである。導出口４ａ４は、ケーシング４ａ１の下面に、下方に向けて開口するように設けられている。
【００２３】
浄水部４ｂは、浄水路上に設けられている。浄水部４ｂは、水路切替部４ａと別体に設けられている。浄水部４ｂは、天板２ａの設置面（上面）に配置されている。浄水路は、浄水路を構成する接続管（図示なし）によって水路切替部４ａと接続されている。浄水部４ｂは、例えば活性炭を用いて、水路切替部４ａから水が導入された水の濾過を行うものである。浄水部４ｂは、濾過をした水を水路切替部４ａに導出する。
【００２４】
吐水管３ｂに浄水器４が取付けられていない場合、吐水管３ｂから吐出される水は、吐水口３ｃの上下方向の位置である第一位置Ｐ１から下方に向けて吐出される。これに対して、吐水管３ｂに浄水器４が直接取付けられた場合、吐水管３ｂからの水は、直接または浄水部４ｂによって濾過されて導出口４ａ４から導出される。この場合、導出口４ａ４の上下方向の位置は、第一位置Ｐ１から第一長さＬ１下方に離れた位置である第二位置Ｐ２である。よって、この場合、導出口４ａ４は、吐水口３ｃより低い位置から水を下方（流し台２）に向けて導出する。したがって、この場合、使用者が容器（例えばポットや食器）に水を注ぎにくくなること、すなわち容器への注水性の低下が考えられる。
【００２５】
配管部材１は、吐水口３ｃと導入口４ａ２との間に配置可能に設けられた管である。配管部材１は、吐水管３ｂに浄水器４が取付けられる場合、図１に示すように、吐水管３ｂと浄水器４との間に配置される。この場合、配管部材１は、吐水口３ｃから吐出された水を導入口４ａ２に導出する。以下、配管部材１について、配管部材１が吐水管３ｂと浄水器４との間に配置された状態にて説明する。
【００２６】
配管部材１は、図２に示すように、本体部１１、第一取付部１２、第一接続口１３、第二取付部１４および第二接続口１５を備えている。本体部１１、第一取付部１２、第一接続口１３、第二取付部１４および第二接続口１５は、一体的に設けられている。
【００２７】
本体部１１は、水を流通させる管状に設けられている。本体部１１は、内径を一定とするように設けられている。本体部１１の詳細は後述する。
【００２８】
第一取付部１２は、本体部１１の第一端（左側の端）に、上述した浄水器４のケーシング４ａ１における被取付部４ａ５と同一の形状に設けられている。第一取付部１２は、具体的には、円柱状に設けられ、周側面に被取付部４ａ５と嵌合可能するねじ溝（図示なし）を備えている。
【００２９】
配管部材１を用いて給水栓３に浄水器４が取り付けられる場合、第一取付部１２が、上述した被取付部４ａ５と同様に、吐水管３ｂの先端部に取付アダプタ５および取付ナット６によって取り付けられる。
【００３０】
第一接続口１３は、本体部１１の第一端に、上方に向けて開口するように設けられている。第一接続口１３は、第一取付部１２の上面に開口する。第一接続口１３には、取付パッキン７を配置可能な段部１３ａが設けられている。段部１３ａは、導入口４ａ２の段部４ａ２ａと同一の形状に設けられている。第一取付部１２が吐水管３ｂの先端部に取付けられた場合、第一取付部１２の上面にて、第一接続口１３と吐水口３ｃとが対向することによって接続する。また、この場合、段部１３ａに配置された取付パッキン７が吐水口３ｃの周縁と段部１３ａとによって挟持されることにより、吐水口３ｃと第一接続口１３と間からの水の漏出が防止される。吐水口３ｃから第一接続口１３に導入された水は、貫通穴７ａを通って本体部１１に導入される。このように、第一接続口１３は、吐水口３ｃに接続可能に設けられている。
【００３１】
第二取付部１４は、本体部１１の第二端（右側の端）に、取付アダプタ５を取付可能な鍔状に設けられている。配管部材１を用いて給水栓３に浄水器４が取り付けられる場合、第二取付部１４が、上述した吐水管３ｂの先端部と同様に、浄水器４の水路切替部４ａにおける被取付部４ａ５に、取付アダプタ５および取付ナット６によって取り付けられる。
【００３２】
第二接続口１５は、本体部１１の第二端に、下方に向けて開口するように設けられている。第二取付部１４が浄水器４の水路切替部４ａにおける被取付部４ａ５に取付けられた場合、被取付部４ａ５の上面にて、第二接続口１５と導入口４ａ２とが対向することによって接続する。また、この場合、段部４ａ２ａに配置された取付パッキン７が第二接続口１５の周縁と段部４ａ２ａとによって挟持されることにより、第二接続口１５と導入口４ａ２と間からの水の漏出が防止される。第二接続口１５から導入口４ａ２に導入された水は、貫通穴７ａを通ってケーシング４ａ１内に導入される。このように、第二接続口１５は、導入口４ａ２に接続可能に設けられている。
【００３３】
本体部１１は、第一Ｕ字部１１ａ、第二Ｕ字部１１ｂおよび直線部１１ｃを備えている。第一Ｕ字部１１ａ、第二Ｕ字部１１ｂおよび直線部１１ｃは、一体的に設けられている。
【００３４】
第一Ｕ字部１１ａは、本体部１１の第一端側に設けられている。第一Ｕ字部１１ａは、上方を開放するＵ字状に設けられている。第一Ｕ字部１１ａの第一端（左側の端）には、第一接続口１３が設けられている。本体部１１の第一端と第一Ｕ字部１１ａの第一端とは、同じ端である。
【００３５】
第二Ｕ字部１１ｂは、本体部１１の第二端側に設けられている。第二Ｕ字部１１ｂは、第一Ｕ字部１１ａより上方にて、下方を開放するＵ字状に設けられている。第二Ｕ字部１１ｂの第一端（右側の端）には、第二接続口１５が設けられている。本体部１１の第二端と第二Ｕ字部１１ｂの第一端とは、同じ端である。
【００３６】
直線部１１ｃは、直線状に設けられ、第一Ｕ字部１１ａの第二端と第二Ｕ字部１１ｂの第二端とを接続するものである。直線部１１ｃは、上下方向に沿って延びるように設けられている。
【００３７】
本体部１１は、図１に示すように配管部材１を用いて給水栓３に浄水器４が取り付けられた場合、すなわち、第一接続口１３と吐水口３ｃとが接続されかつ第二接続口１５と導入口４ａ２とが接続された場合、導出口４ａ４の上下方向の位置を、第二位置Ｐ２より上方の位置とするように設けられている。具体的には、この場合、本体部１１は、導出口４ａ４の上下方向の位置を、第一位置Ｐ１以上の位置とするように設けられている。
【００３８】
さらに、この場合、本体部１１は、導出口４ａ４の上下方向の位置を、第一位置Ｐ１より第二長さＬ２上方に離れた位置である第三位置Ｐ３以下の位置とするように設けられている。第三位置Ｐ３から下方に向けて水が吐出された場合、第一位置Ｐ１から下方に向けて水が吐出された場合と比べて、下方に向けて吐出された水が流し台２（例えば流し部２ｂの底面や天板２ａ）に当たることによって生じる水の飛散を同じ程度とするように、第二長さＬ２が設定されている。第二長さＬ２は、予め実験等によって実測されて導出されている。
【００３９】
本実施形態においては、配管部材１を用いて給水栓３に浄水器４が取り付けられた場合、本体部１１は、導出口４ａ４の上下方向の位置を、第一位置Ｐ１とするように設けられている。
【００４０】
次に、配管部材１を用いて給水栓３に浄水器４が取り付けられた場合において、給水栓３の吐水口３ｃから水が吐出されたときについて、図２を用いて説明する。吐水口３ｃから吐出された水は、第一接続口１３から配管部材１に導入される。第一接続口１３から導入された水は、本体部１１を通って、第二接続口１５から導出される。続けて、第二接続口１５から導出された水は、導入口４ａ２から浄水器４に導入される。浄水器４に導入された水は、直接または浄水部４ｂによって濾過されて、導出口４ａ４から下方（流し台２）に向けて導出される。
【００４１】
この場合、導出口４ａ４の上下方向の位置が吐水口３ｃの第一位置Ｐ１と同じであるため、導出口４ａ４と流し台２（例えば流し部２ｂの底面や天板２ａ）との上下方向に沿った距離と、吐水口３ｃと流し台２との上下方向に沿った距離とが同じである。よって、配管部材１を用いて給水栓３に浄水器４が取り付けられている場合における導出口４ａ４と流し台２との間への容器の配置の容易さは、給水栓３に浄水器４が取り付けられていない場合における吐水口３ｃと流し台２との間への容器の配置の容易さと同じとなる。さらに、配管部材１を用いて給水栓３に浄水器４が取り付けられている場合に導出口４ａ４から導出された水が流し台２に当たることによって生じる飛散は、給水栓３に浄水器４が取り付けられていない場合に吐水口３ｃから吐出された水が流し台２に当たることによって生じる飛散と同程度となる。
【００４２】
本実施形態によれば、配管部材１は、流し台２に設置された給水栓３に取付可能に設けられたケーシング４ａ１と、ケーシング４ａ１に、給水栓３の吐水口３ｃと接続可能に設けられ、吐水口３ｃから吐出された水が導入される導入口４ａ２と、ケーシング４ａ１に、導入口４ａ２より第一長さＬ１下方に離れて設けられ、導入口４ａ２から導入された水を、直接または水の濾過を行う浄水部４ｂを介して導出する導出口４ａ４と、を備えた浄水器４が、給水栓３に取付けられる場合に適用される。配管部材１は、吐水口３ｃと導入口４ａ２との間に配置可能に設けられている。配管部材１は、水を流通させる管状に設けられた本体部１１と、本体部１１の第一端に、吐水口３ｃに接続可能に設けられた第一接続口１３と、本体部１１の第二端に、導入口４ａ２に接続可能に設けられた第二接続口１５と、を備えている。本体部１１は、第一接続口１３と吐水口３ｃとが接続されかつ第二接続口１５と導入口４ａ２とが接続された場合、導出口４ａ４の上下方向の位置を、吐水口３ｃの上下方向の位置である第一位置Ｐ１から第一長さＬ１下方に離れた位置である第二位置Ｐ２より上方の位置とするように設けられている。
【００４３】
これによれば、流し台２に設置された給水栓３に配管部材１を用いて浄水器４が取り付けられた場合、浄水器４の導出口４ａ４の上下方向の位置が、給水栓３の吐水口３ｃの第一位置Ｐ１から第一長さＬ１下方に離れた第二位置Ｐ２より上方の位置となる。この場合における浄水器４の導出口４ａ４の上下方向の位置は、配管部材１を用いずに給水栓３に浄水器４が直接取り付けられた場合における浄水器４の導出口４ａ４の上下方向の位置より高くなる。よって、配管部材１を用いて給水栓３に浄水器４が取り付けられた場合、配管部材１を用いずに給水栓３に浄水器４が直接取り付けられた場合に比べて、容器を、浄水器４の導出口４ａ４と流し台２との間に簡便に配置させることができる。したがって、流し台２に設置された給水栓３に浄水器４が取り付けられた場合において、配管部材１によって容器への注水性の低下を抑制することができる。
【００４４】
また、本体部１１は、第一接続口１３と吐水口３ｃとが接続されかつ第二接続口１５と前記導入口４ａ２とが接続された場合、導出口４ａ４の上下方向の位置を、第一位置Ｐ１以上の位置とするように設けられている。
【００４５】
これによれば、配管部材１を用いて給水栓３に浄水器４が取り付けられた場合、浄水器４の導出口４ａ４の上下方向の位置が、給水栓３の吐水口３ｃの第一位置Ｐ１以上の位置となる。よって、この場合、給水栓３に浄水器４が取り付けられていない場合と比べて、容器を、浄水器４の導出口４ａ４と流し台２との間に、同等以上簡便に配置させることができる。したがって、給水栓３に浄水器４が取り付けられた場合における容器への注水性を、給水栓３に浄水器４が取り付けられていない場合における容器への注水性に対して同等以上にすることができる。
【００４６】
また、本体部１１は、第一接続口１３と吐水口３ｃとが接続されかつ第二接続口１５と導入口４ａ２とが接続された場合、導出口４ａ４の上下方向の位置を、第二位置Ｐ２より上方、かつ、第一位置Ｐ１より第二長さＬ２上方に離れた位置である第三位置Ｐ３以下の位置とするように設けられている。
【００４７】
これによれば、給水栓３に配管部材１を用いて浄水器４が取り付けられた場合、浄水器４の導出口４ａ４の上下方向の位置が、第二位置Ｐ２より上方、かつ、第三位置Ｐ３以下の位置となる。第三位置Ｐ３から下方に向けて水が導出された場合と、吐水口３ｃの第一位置Ｐ１から下方に向けて水が吐出された場合とは、水が流し台２に当たることによって生じる水の飛散の程度が同程度である。したがって、配管部材１によって、水の飛散を抑制しつつ、容器への注水性の低下を抑制することができる。
【００４８】
また、本体部１１は、上方を開放するＵ字状に設けられ、第一端に第一接続口１３を設けられた第一Ｕ字部１１ａと、第一Ｕ字部１１ａより上方にて、下方を開放するＵ字状に設けられ、第一端に第二接続口１５を設けられた第二Ｕ字部１１ｂと、直線状に設けられ、第一Ｕ字部１１ａの第二端と第二Ｕ字部１１ｂの第二端とを接続する直線部１１ｃと、を備えている。
これによれば、配管部材１を比較的簡便に設けることができる。
【００４９】
なお、上述した実施形態において、配管部材の一例を示したが、本発明はこれに限定されず、他の構成を採用することもできる。例えば、配管部材１を用いて給水栓３に浄水器４が取り付けられた場合、浄水器４の導出口４ａ４の上下方向の位置を第一位置Ｐ１とするように、本体部１１が設けられている。これに代えて、配管部材１を用いて給水栓３に浄水器４が取り付けられた場合、浄水器４の導出口４ａ４の上下方向の位置を、第二位置Ｐ２より上方かつ第一位置Ｐ１未満、または、第一位置Ｐ１より上方かつ第三位置Ｐ３以下とするように、本体部１１を設けるようにしても良い。
【００５０】
また、上述した実施形態において、本体部１１の直線部１１ｃは、上下方向に沿って延びるように設けられているが、これに代えて、図３に示す本体部１１１のように、直線部１１１ｃを、下方から上方に向かうにしたがって、左方から右方に向かうように傾斜させて設けるようにしても良い。
【００５１】
また、上述した実施形態において、第二Ｕ字部１１ｂの第一端が第二Ｕ字部１１ｂの第二端の右方に配置されるように、本体部１１が設けられている。これに代えて、図４に示す本体部２１１のように、第二Ｕ字部２１１ｂの第一端が第二Ｕ字部２１１ｂの第二端の左方に配置するように設けるようにしても良い。この場合、浄水器４から導出された水が、第一Ｕ字部材２１１ａと干渉しないように、本体部２１１を設けるようにする。
【００５２】
また、上述した実施形態において、本体部１１は、直線部１１ｃを備えて設けられているが、これに代えて、本体部１１が直線部１１ｃを備えないようにしても良い。この場合、第一Ｕ字部１１ａの第二端が第二Ｕ字部１１ｂの第二端に直接接続されるように、本体部１１が設けられる。
【００５３】
また、上述した実施形態において、浄水器４は、据置型の浄水器であるが、これに代えて、浄水器４を、水路切替部４ａと浄水部４ｂとが一体的に設けられた一体型の浄水器としても良い。この場合、浄水部４ｂは、ケーシング４ａ１に対して着脱可能に設けられている。
【００５４】
また、本発明の要旨を逸脱しない範囲において、配管部材１の形状を変更するようにしても良い。
【符号の説明】
【００５５】
１…配管部材、２…流し台、３…給水栓、３ｃ…吐水口、４…浄水器、４ａ…水路切替部、４ａ１…ケーシング、４ａ２…導入口、４ａ４…導出口、４ａ５…被取付部、４ｂ…浄水部、１１…本体部、１１ａ…第一Ｕ字部、１１ｂ…第二Ｕ字部、１１ｃ…直線部、１２…第一取付部、１３…第一接続口、１４…第二取付部、１５…第二接続口、Ｌ１…第一長さ、Ｌ２…第二長さ、Ｐ１…第一位置、Ｐ２…第二位置、Ｐ３…第三位置。
【図１】
2018035647.tif 000003
【図２】
2018035647.tif 000004
【図３】
2018035647.tif 000005
【図４】
2018035647.tif 000006
【図５】
2018035647.tif 000007